(57)【要約】      （修正有）【課題】時間が経過しても寝具の繊維等の隙間から熱が外部へ漏れにくく、寝具内の空間の温度が低下しにくい寝具を提供する。【解決手段】毛布１は、第一の毛布生地１０と第二の毛布生地１０の間に、中綿１２、断熱材２０、織生地３０の順番で挟みこんで内包している。断熱材２０は、第一層である熱反射部２１と、第二層である熱反射部裏地２３とを圧着し、一体に形成されたシート状物である。熱反射部２１は、アルミニウムの微細粉とバインダーを不織布に付着させるか又は含浸させて形成されたシートであって、表面から裏面に貫通する多数の小孔２２が設けられている。熱反射部裏地２３は、熱反射部２１の片面を覆い且つ各小孔２２を塞ぐように配置された不織布であって、熱反射部２１と一体となるように圧着されている。【選択図】図１
0003168278.tif 000002
【実用新案登録請求の範囲】
【請求項１】
断熱材を備える寝具であって、
前記寝具は、起毛させた織物と、織物の裏側に取着されたシート状の断熱材と、を備えており、
前記断熱材は、通気性を有し、少なくとも使用に際して使用者に面する側へ熱を反射する層が形成されたものである、
寝具。
【請求項２】
断熱材を備える寝具であって、
前記寝具は、二以上のシート状物と、各シート状物の間に配置されたシート状の断熱材と、を備えており、
前記二以上のシート状物は、同種の又は異種の起毛させた織物を組み合わせたもの、起毛されていない繊維シートを組み合わせたもの、または、起毛させた織物と起毛されていない繊維シートとを組み合わせたもの、のいずれかの一つであり、
前記断熱材は、通気性を有し、少なくとも使用に際して使用者に面する側へ熱を反射する層が形成されたものである、
寝具。
【請求項３】
起毛させた織物と該織物の裏側に取着されたシート状の断熱材との間の箇所に、または、二以上のシート状物の間の箇所であって該箇所に配置されたシート状の断熱材と共に、
保温性を有する部材或いはクッション性を有する部材のいずれかの一つ又はこれらを組み合わせたものを内包している、
請求項１又は２記載の寝具。
【請求項４】
断熱材を備える寝具であって、
前記寝具は、カバーと、カバー内に内包された保温性を有する部材及びシート状の断熱材と、を備えており、
前記カバーは、起毛されていない繊維シートを袋状に形成しているか又は起毛されていない繊維シートを２枚重ねて周縁部を閉じることにより形成されており、
前記断熱材は、通気性を有し、少なくとも使用に際して使用者に面する側へ熱を反射する層が形成されたものであり、使用時において上側に位置するカバーの内側へ、熱を反射する層が使用者に面するように配置され、カバーと断熱材の間に保温性を有する部材が紛れ込まないように断熱材周縁を閉じるか又は断熱材裏面を接着して取着されており、
前記保温性を有する部材は、天然繊維又は化学繊維により形成された中綿、動物の体毛又は鳥の羽のいずれかの一つ又はこれらを組み合わせたものであり、断熱材の熱を反射する層と使用時において下側に位置するカバーとの間に位置するよう封入されている、
寝具。
【請求項５】
断熱材を備える寝具であって、
前記寝具は、カバーと、カバー内に内包された保温性を有する部材及びシート状の断熱材と、を備えており、
前記カバーは、起毛されていない繊維シートを袋状に形成しているか又は起毛されていない繊維シートを２枚重ねて周縁部を閉じることにより形成されており、
前記断熱材は、通気性を有し、少なくとも使用に際して使用者に面する側へ熱を反射する層が形成されたものであって、使用時において上側に位置するカバーと下側に位置するカバーの間に配置されており、
前記保温性を有する部材は、天然繊維又は化学繊維により形成された中綿、動物の体毛又は鳥の羽のいずれかの一つ又はこれらを組み合わせたものであり、該保温性を有する部材が断熱材の上面側及び下面側に位置するようにカバー内へ封入されている、
寝具。
【請求項６】
断熱材は、不織布又はナイロンタフタにアルミニウムを付着、塗布又は含浸させて形成した第一層と、第一層の裏に設けられた第二層を備えており、
前記第一層には、表面から裏面に貫通する多数の小孔が設けられており、
前記第二層は、不織布を第一層の片面を覆うように付着し、前記小孔を塞ぐように設けられている、
請求項１乃至５のいずれかの一に記載の寝具。
【考案の詳細な説明】
【技術分野】
【０００１】
本考案は、寝具に関する。
更に詳しくは、熱反射性及び通気性を備える断熱材を備えた掛布団、毛布等の寝具であって、寝具の繊維等の隙間から熱が外部へ漏れにくく且つ寝具内の温度が低下しにくいものに関する。
【背景技術】
【０００２】
近年、販売されている寝具（例えば毛布）は、羊毛や化学繊維等で形成した布地を二重に重ね、縁を閉じて形成されている構造のものが多く見受けられる。
【考案の開示】
【考案が解決しようとする課題】
【０００３】
しかし、前記のような毛布を使用した場合、毛布と敷布団との間の内の空間は外気から遮断され使用者から放射される体温（熱）が該空間内に蓄積されるため、しばらくの間は暖かいが、時間の経過と共に毛布の繊維の隙間から熱が外部へ漏れて毛布内の温度が低下し、使用者が肌寒さを感じることがあった。また、他の寝具（例えば羽毛布団）においても同様の現象が生じることがあった。
【０００４】
（考案の目的）
そこで、本考案の目的は、時間が経過しても寝具の繊維等の隙間から熱が外部へ漏れにくく、寝具内の空間の温度が低下しにくい寝具を提供することにある。
【課題を解決するための手段】
【０００５】
上記目的を達成するために講じた本考案の手段は次のとおりである。
本考案は、
断熱材を備える寝具であって、
前記寝具は、起毛させた織物と、織物の裏側に取着されたシート状の断熱材と、を備えており、
前記断熱材は、通気性を有し、少なくとも使用に際して使用者に面する側へ熱を反射する層が形成されたものである、
寝具である。
【０００６】
本考案は、
断熱材を備える寝具であって、
前記寝具は、二以上のシート状物と、各シート状物の間に配置されたシート状の断熱材と、を備えており、
前記二以上のシート状物は、同種の又は異種の起毛させた織物を組み合わせたもの、起毛されていない繊維シートを組み合わせたもの、または、起毛させた織物と起毛されていない繊維シートとを組み合わせたもの、のいずれかの一つであり、
前記断熱材は、通気性を有し、少なくとも使用に際して使用者に面する側へ熱を反射する層が形成されたものである、
寝具である。
【０００７】
前記の寝具は、起毛させた織物と該織物の裏側に取着されたシート状の断熱材との間の箇所に、または、二以上のシート状物の間の箇所であって該箇所に配置されたシート状の断熱材と共に、保温性を有する部材或いはクッション性を有する部材のいずれかの一つ又はこれらを組み合わせたものを内包しているものであってもよい。
【０００８】
本考案は、
断熱材を備える寝具であって、
前記寝具は、カバーと、カバー内に内包された保温性を有する部材及びシート状の断熱材と、を備えており、
前記カバーは、起毛されていない繊維シートを袋状に形成しているか又は起毛されていない繊維シートを２枚重ねて周縁部を閉じることにより形成されており、
前記断熱材は、通気性を有し、少なくとも使用に際して使用者に面する側へ熱を反射する層が形成されたものであり、使用時において上側に位置するカバーの内側へ、熱を反射する層が使用者に面するように配置され、カバーと断熱材の間に保温性を有する部材が紛れ込まないように断熱材周縁を閉じるか又は断熱材裏面を接着して取着されており、
前記保温性を有する部材は、天然繊維又は化学繊維により形成された中綿、動物の体毛又は鳥の羽のいずれかの一つ又はこれらを組み合わせたものであり、断熱材の熱を反射する層と使用時において下側に位置するカバーとの間に位置するよう封入されている、
寝具である。
【０００９】
断熱材を備える寝具であって、
前記寝具は、カバーと、カバー内に内包された保温性を有する部材及びシート状の断熱材と、を備えており、
前記カバーは、起毛されていない繊維シートを袋状に形成しているか又は起毛されていない繊維シートを２枚重ねて周縁部を閉じることにより形成されており、
前記断熱材は、通気性を有し、少なくとも使用に際して使用者に面する側へ熱を反射する層が形成されたものであって、使用時において上側に位置するカバーと下側に位置するカバーの間に配置されており、
前記保温性を有する部材は、天然繊維又は化学繊維により形成された中綿、動物の体毛又は鳥の羽のいずれかの一つ又はこれらを組み合わせたものであり、該保温性を有する部材が断熱材の上面側及び下面側に位置するようにカバー内へ封入されている、
寝具である。
【００１０】
前記いずれか一の寝具の断熱材は、不織布又はナイロンタフタにアルミニウムを付着、塗布又は含浸させて形成した第一層と、第一層の裏に設けられた第二層を備えており、前記第一層には、表面から裏面に貫通する多数の小孔が設けられており、前記第二層は、不織布を第一層の片面の面を覆うように付着し、前記小孔を塞ぐように設けられているものであってもよい。
【００１１】
本明細書及び実用新案登録請求の範囲にいう「寝具」は、掛布団、敷布団、毛布又はタオルケットその他の肌布団、敷パッド、マットレスを含む意味で使用している。
【００１２】
本明細書及び実用新案登録請求の範囲にいう「起毛させた織物」は、天然繊維又は化学繊維により形成された織物を起毛したものであって、例えば、綿、絹、ウール、カシミヤ、キャメル等の植物又は獣毛の天然繊維、ポリエステル、アクリル等の合成繊維であってもよい。
【００１３】
本明細書及び実用新案登録請求の範囲にいう「シート状の断熱材」は、通気性を有し、少なくとも使用に際して使用者に面する側へ熱を反射する層が形成されたものであればよく、例えば、不織布又はナイロンタフタにアルミニウムを塗布、付着又は含浸等させて形成され、層の表面から裏面に貫通する多数の小孔が設けられた第一層と、該第一層の裏に設けられ、不織布を第一層の全面を覆うように付着して前記小孔を塞ぐように設けた第二層とを付着したものが好適に使用されるが、これに限定するものではなく、例えば、金、銀、銅、錫、真鍮等その他の金属或いはこれらの合金であって、通気孔が設けられた金属箔等により形成された第一層（熱反射部）と、綿、絹、麻、ウール、レーヨン、アクリル、ナイロン、ポリエステルの布地、不織布等あるいはこれらを組み合わせたものにより形成された通気性を有する布地である第二層とを付着したものであってもよい。
【００１４】
本明細書及び実用新案登録請求の範囲にいう「同種の又は異種の起毛させた織物を組み合わせたもの」は、同種の素材により形成された起毛させた織物の組み合わせ、または、異種の素材により形成された起毛させた織物の組み合わせ（二以上の異なる素材により形成された織物を組み合わせたもの）、を含む意味で使用している。
【００１５】
本明細書及び実用新案登録請求の範囲にいう「起毛されていない繊維シート」は、例えば、綿、絹、麻、ウール、レーヨン、アクリル、ナイロン、ポリエステルの布地、不織布等あるいはこれらを組み合わせたものにより形成された通気性を有するものが好適に使用される。
【００１６】
本明細書及び実用新案登録請求の範囲にいう「保温性を有する部材」は、例えば、綿等の天然繊維あるいはポリエステル等の化学繊維により形成された中綿、羊等の動物の体毛、又は水鳥等の羽、または、これらを組み合わせたものであってもよい。
【００１７】
本明細書及び実用新案登録請求の範囲にいう「クッション性を有する部材」は、例えば、綿等の天然繊維あるいはポリエステル等の化学繊維により形成された中綿、羊等の動物の体毛、又は水鳥等の羽、天然スポンジあるいはポリウレタン等の合成樹脂を発泡成形して作られた合成スポンジ、または、これらを組み合わせたものであってもよい。
【００１８】
「カバーと、カバー内に内包された保温性を有する部材及びシート状の断熱材と、を備えた前記寝具」においては、カバーと断熱材の間に保温性を有する部材が紛れ込まないようにしてあればよく、例えば、カバーと断熱材裏面の全部又は一部が接着してあってもよいし、または、カバーと断熱材の周縁を糸で縫いつけるようにして閉じてカバーへ取着していてもよい。
【００１９】
（作  用）
本考案に係る寝具の作用を説明する。
寝具を利用するに際しては、寝具の断熱材の熱を反射する層が使用者に面するようにして使用する。
【００２０】
すると、従来の寝具と同様に寝具内の空間が外気から遮断され、使用者から放射される体温（熱）が該空間内に蓄積されるため暖かく、更に、起毛させた織物あるいは起毛されていない繊維シートの繊維の隙間から熱が外部へ漏れようとするときには、断熱材が熱を反射して熱の漏出を抑制する。この結果、漏出しようとした熱が寝具内の空間へ戻り、寝具内の空間の温度が低下しにくく保温効果が高い。
【００２１】
また、前記の寝具の所要箇所に保温性を有する部材或いはクッション性を有する部材のいずれか又はこれらを組み合わせたものを内包しているものは、保温性又はクッション性、保温性及びクッション性のいずれかの向上が期待でき、より快適な使用感が得られる。
【００２２】
更に、本考案に係る寝具の断熱材は通気性を有しているので、使用者の体から発散される水蒸気（汗）が寝具を通過して大気に放出されるので、寝具の中の湿度が適度に保たれる。
【考案の効果】
【００２３】
本考案によれば、時間が経過しても寝具の繊維等の隙間から熱が外部へ漏れにくく、寝具内の空間の温度が低下しにくい寝具を提供できる。また、通気性を有する断熱材により、使用者の体から発散される水蒸気（汗）が寝具を通過して、寝具から大気に放出され、寝具の中の湿度が適度に保たれる。
【００２４】
また、前記の寝具の所要箇所に保温性を有する部材或いはクッション性を有する部材のいずれか又はこれらを組み合わせたものを内包しているものは、保温性又はクッション性の向上が期待でき、より快適な使用感が得られる。
【図面の簡単な説明】
【００２５】
【図１】本考案の第１実施形態に係る毛布の一部を切り欠いた斜視説明図（Ａ）、該毛布の断面の拡大図（Ｂ）及び断熱材の斜視説明図（Ｃ）。
【図２】本考案の第２実施形態に係る敷毛布の一部を切り欠いた斜視説明図（Ａ）、該敷毛布の断面の拡大図（Ｂ）及び断熱材の斜視説明図（Ｃ）。
【図３】本考案の第３実施形態に係る掛布団の斜視図。
【図４】図３に示す掛布団の厚み方向の断面図（Ａ）と、該断面図の一部を拡大して示した説明図（Ｂ）。
【図５】本考案の第４実施形態に係る掛布団の厚み方向の断面図（Ａ）と、該断面図の一部を拡大して示した説明図（Ｂ）。
【考案を実施するための形態】
【００２６】
〔第１実施形態〕
本考案の第１実施形態を図面に基づいて説明する。
図１の（Ａ）を参照する。図１に示す寝具は毛布１であって、該毛布１は、起毛させた織物である所要大きさの一対の毛布生地１０と、毛布生地１０の各短辺を閉じた縁部１１を備えている。
【００２７】
図１の（Ｂ）を参照する。該図面は、毛布１を厚み方向に縦断した断面を説明的に示している。
前記毛布１は、第一の毛布生地１０と第二の毛布生地１０の間に、保温性又はクッション性を備えた中綿１２と、断熱材２０と、起毛されていない繊維シートである織生地３０を内包している。
【００２８】
図１（Ｃ）を参照して、断熱材２０について説明する。断熱材２０は、第一層である熱反射部２１と、第二層である熱反射部裏地２３とを圧着し、一体に形成されたシート状物である。
【００２９】
熱反射部２１は、バインダーの中にアルミニウムの微細粉を分散させたものを不織布に付着させるか又は含浸させて形成されたシートであって、表面から裏面に貫通する多数の小孔２２が設けられている。
【００３０】
熱反射部裏地２３は、熱反射部２１の片面を覆い且つ前記各小孔２２を塞ぐように配置された不織布であって、熱反射部２１と一体となるように圧着されている。
【００３１】
本実施の形態において、毛布は、長辺が約２００ｃｍ、短辺が約１４０ｃｍであるが、当該寸法は適宜変更可能である。
【００３２】
また、本実施の形態において、毛布生地は起毛したポリエステルの生地で形成され、中綿はポリエステル繊維で形成されているが、当該素材に限定するものではなく、毛布生地及び中綿は、他の公知の合成繊維又は天然繊維により形成してもよい。
【００３３】
本実施の形態において、熱反射部及び熱反射部裏地は不織布により形成されているが、これに限定するものではなく、例えばナイロンタフタ等の他の公知の合成繊維又は天然繊維により熱反射部及び熱反射部裏地を形成してもよいし、また、これらの組み合わせ（反射部及び反射部裏地のいずれか一方を不織布とし、他方を他の公知の合成繊維又は天然繊維により形成する。）であってもよい。
また、熱反射部に付着等させるバインダーに混合する微細分は、アルミニウム以外の他の金属（例えば、金、銀、銅、錫、真鍮等その他の金属或いはこれらの合金）を用いてもよい。
更に、熱反射部の他の構成として、アルミニウム等の金属の箔片と、不織布或いは布地を圧着したものを用いることもできる。
更にまた、熱反射部が良好な通気性を有する素材で形成されている場合は、熱反射部裏地を特に設けずに熱反射部のみの単層とすることもできる。
【００３４】
（作  用）
毛布１の作用を説明する。
毛布１を利用するに際して、毛布１の断熱材２０の熱を反射する側（熱反射部２１）が使用者に面するようにして使用する。
【００３５】
すると、毛布１内側の空間（毛布と敷布団により区切られた空間）は外気から遮断され、使用者から放射される体温（熱）が該空間内に蓄積されるため、従来の毛布と同様に暖かい。更に、毛布生地１０の繊維の隙間から熱が外部へ漏れようとするときには、断熱材２０の熱反射部２１が熱を反射し、反射した熱は毛布１内側の空間へ戻るので、熱の漏出が抑制され、毛布１内側の空間の温度が低下しにくい。前記作用により、毛布１は保温効果が高い。
【００３６】
また、断熱材２０は、不織布である熱反射部裏地２３で塞がれた小孔２２が形成され、通気性を有しているので、該小孔２２を介して、発汗により使用者の体から生じた水蒸気が毛布１を通過して、毛布１から大気に放出されるので、毛布内側の空間の湿度が適度に保たれる。
【００３７】
〔第２実施形態〕
本考案の第２実施形態を図面に基づいて説明する。なお、本実施形態に係る断熱材２０の作用、構造については、第１実施形態と同様であるため、その説明を省略する。
【００３８】
図２の（Ａ）を参照する。図２に示す寝具は敷毛布１ａであって、該敷毛布１ａは、起毛させた織物である所要大きさの毛布生地１０と、その他の生地である織生地３０と、毛布生地１０及び織生地３０の各短辺を綴じた縁部１１を備えている。なお、織生地３０は、起毛されていない繊維シートであって、毛布生地１０の背面側に配置されているために図２の（Ａ）には表されておらず、図２の（Ｂ）にのみ表れている。
また、毛布１ａは、敷毛布又は敷パッドとして使用するのに好適であるが、通常の掛毛布として使用することもできる。
【００３９】
図２の（Ｂ）を参照する。該図面は、敷毛布１ａを厚み方向に縦断した断面を説明的に示している。
前記敷毛布１ａは、毛布生地１０と織生地３０の間に、保温性又はクッション性を備えた中綿１２、断熱材２０の順番で挟みこんで内包している。
【００４０】
（作  用）
敷毛布１ａの作用を説明する。
敷毛布１ａを利用するに際して、敷毛布１ａの断熱材２０の熱を反射する側（熱反射部２１）が使用者に面するようにして（つまり、敷毛布１ａの毛布生地１０を上側にし、織生地３０を下側にして）使用する。
【００４１】
すると、使用者から放射される体温（熱）が毛布生地１０の繊維の隙間を通過して外部（下方）へ漏れようとするときには、断熱材２０の熱反射部２１が熱を反射し、反射された熱が上方の空間（掛布団等と敷毛布の間に生じた空間）へ戻るので、熱の漏出が抑制され、前記敷毛布１ａ上方の空間内の温度が低下しにくい。前記作用により、敷毛布１ａは保温効果が高い。
【００４２】
〔第３実施形態〕
本考案の第３実施形態を図面に基づいて説明する。図３及び図４に示す寝具は掛布団４である。なお、掛布団の寸法は適宜変更可能である。また、本実施形態に係る断熱材２０の作用、構造については、第１実施形態と同様であるため、その説明を省略する。
【００４３】
図３及び図４を参照する。掛布団４は、起毛されていない繊維シートにより形成されたカバー４１と、カバー４１に内包される保温性を有する部材である羽毛４３０及び断熱材２０を備えている。
カバー４１は、所要大きさの綿布であるカバー表地４１０とカバー裏地４１１を２枚重ね、外周縁部を縫着して閉じることにより形成された袋状体である（図３及び図４の（Ａ）左側を参照。以下、該縫着箇所を縫着部４１２と称する。）。
【００４４】
また、掛布団４にはカバー４１の所要箇所に縦横のキルティング加工がなされており、該加工によりカバー４１には長手方向に５列、短手方向に４列のブロック状の内部空間がそれぞれ形成され、各空間内に羽毛４３０が内包されている（図３及び図４の（Ａ）参照）。
【００４５】
更に詳しくは、前記ブロック状の内部空間は、それぞれカバー４１内に設けられたマチ（襠）４２０により区切られ、該マチ４２０はカバー表地４１０及びカバー裏地４１１にそれぞれ縫着されている（図４の（Ａ）参照。）。なお、カバー４１のカバー表地４１０側の表面に現れたマチ４２０の縫着箇所は、短手方向の縫着箇所が縫着部４１３、長手方向の縫着箇所が縫着部４１４ａとなる（図３参照）。
前記の通り、マチ４２０はカバー裏地４１１にも縫着されており、図４の（Ａ）に示すように、縫着部４１４ｂは、カバー裏地４１１側から内部側へ貫通し、マチ４２０を縫着している。
【００４６】
断熱材２０は、カバー表地４１０の裏側（即ち、カバー４１の内側）に配置されており、断熱材２０の熱反射部２１が下向きに（即ち、熱反射部２１がカバー裏地４１１の方へ向くように）取着されている（図４の（Ｂ）参照）。
また、断熱材２０は、その周縁部がカバー４１の周縁において重なるように配置され、カバー表地４１０とカバー裏地４１１と共に縫着部４１２において縫着されている（図４の（Ａ）左側を参照）。
【００４７】
更に、断熱材２０は、前記縫着部４１３及び縫着部４１４ａにより、カバー表地４１０に縫着されている（図４の（Ａ）参照）。より詳しくは、縫着部４１３及び縫着部４１４ａは、糸をカバー表地４１０及び断熱材２０を貫通させてマチ４２０を縫着することを連続して形成されている。この結果、断熱材２０周縁は閉じられることとなり、カバー４１と断熱材２０の間に羽毛４３０が紛れ込まないように処理されている。
【００４８】
なお、本実施形態では、保温性を有する部材として羽毛を使用しているが、これに限定するものではなく、例えば、綿等の天然繊維あるいはポリエステル等の化学繊維により形成された中綿、羊等の動物の体毛等を使用することもできる。
【００４９】
また、本実施形態では、掛布団は、カバーの縦横にキルティング加工がなされているが、当該形態に限定するものではなく、例えば、縦のみ又は横のみにキルティング加工を行って保温性を有する部材を内包できる区画空間（ブロック状ではなく、例えば筒状の空間）が形成されるようにしてもよいし、キルティング加工以外の方法で前記のような区画空間が形成されたものであってもよい。更に、掛布団内に前記のような区画空間が形成されないようにすることもできる。
【００５０】
（作  用）
掛布団４の作用を説明する。
掛布団４を利用するに際しては、掛布団４の断熱材２０の反射部２１が使用者の方に面するようにして（つまり、掛布団４のカバー表地４１０を上側にし、カバー裏地４１１を下側にして）使用する。
【００５１】
すると、掛布団４内側の空間（掛布団と敷布団により区切られた空間）は外気から遮断され、使用者から放射される体温（熱）が該空間内に蓄積され、更に、該体温（熱）がカバー裏地４１１の繊維の隙間から掛布団４内部に伝わって羽毛４３０が一旦熱を含むので、従来の掛布団と同様に暖かい。
【００５２】
そして、羽毛４３０に含まれた熱がカバー表地４１０の繊維の隙間から外部（上方）へ漏れようとするときには、断熱材２０の熱反射部２１が熱を反射し、反射した熱は掛布団４下方の空間（羽毛４３０、及び、掛布団等と敷布団の間に生じた空間）へ戻るので、熱の漏出が抑制され、掛布団４内側の空間の温度が低下しにくい。前記作用により、掛布団４は保温効果が高い。
【００５３】
〔第４実施形態〕
本考案の第４実施形態を図面に基づいて説明する。
図５に示す寝具は掛布団４ａであって、起毛されていない繊維シートにより形成されたカバー４１と、カバー４１に内包される保温性を有する部材である羽毛４３０及び断熱材２０を備えている。掛布団４ａは、図３に示す掛布団４と外見において同じであるため、図示を省略する。
なお、掛布団４ａについては、第３実施形態にかかる掛布団４と共通する構造には同じ符号を付し、当該箇所の共通する作用、構造については、その説明を省略する。また、本実施形態に係る断熱材２０の作用、構造については、第１実施形態と同様であるため、その説明を省略する。
【００５４】
断熱材２０は、断面視で掛布団４ａの厚み方向略中央へ配置されており、カバー４１内の空間を上下に仕切るようにして水平方向に設けられている（図５の（Ａ）参照）。
断熱材２０は、熱反射部２１が下向きに（即ち、熱反射部２１がカバー裏地４１１の方へ向くように）配置されており（図５の（Ｂ）参照）、その周縁部がカバー４１の周縁において縫着部４１２により縫着されている（図５左側を参照）。
前記の断熱材２０により仕切られた上下の各空間内には、羽毛４３０が内包されている（図５の（Ａ）及び（Ｂ）参照）。
【００５５】
（作  用）
掛布団４ａの作用を説明する。
掛布団４ａを利用するに際しては、掛布団４ａの断熱材２０の反射部２１が使用者の方に面するようにして（つまり、掛布団４ａのカバー表地４１０を上側にし、カバー裏地４１１を下側にして）使用する。
【００５６】
すると、掛布団４ａ内側の空間（掛布団と敷布団により区切られた空間）は外気から遮断され、使用者から放射される体温（熱）が該空間内に蓄積され、更に、該体温（熱）がカバー裏地４１１の繊維の隙間から掛布団４ａ内の下面側空間（図５においてカバー４１内の断熱材２０よりも下側の空間）に伝わって該空間内の羽毛４３０が一旦熱を含むので、従来の掛布団と同様に暖かい。
【００５７】
そして、羽毛４３０に含まれた熱は、断熱材２０の熱反射部２１により下方へ反射され、反射された熱は掛布団４ａ下方の空間（前記掛布団４ａ内の下面側空間、及び、掛布団等と敷布団の間に生じた空間）へ戻るので、熱の漏出が抑制され、掛布団４ａ内側の空間の温度が低下しにくい。前記作用により、掛布団４ａは保温効果が高い。
【００５８】
そのほか、図示及び符号は省略するが、他の実施形態として、以下の構成の寝具も提案する。
〔マットレス〕
マットレスは、起毛されていない繊維シートである綿布により形成されたカバーと、カバー内に内包されるクッション性を有する部材であるマット及び断熱材とを備えている。なお、断熱材の構造については、第１実施形態と同様であるため、その説明を省略する。
カバーは、綿布を袋状に形成しているか又は綿布を２枚重ねて周縁部を閉じることにより形成されている。断熱材は、前記したものと同じもの（断熱材２０）を使用している。マットは、合成樹脂を発泡成形して作られた合成スポンジである。
前記マットレスは、厚み方向に縦断した場合、上部と下部に位置するカバーの間に、マットレス、断熱材の順番となるように内包している。
【００５９】
（作  用）
マットレスを利用するに際しては、断熱材の熱を反射する側（反射部）が使用者に面するようにして使用する。すると、第２実施形態に係る敷毛布と同様に、使用者から放射される体温（熱）がカバーの繊維の隙間から外部（下方）へ漏れようとするときには、断熱材の反射部が熱を反射して熱の漏出を抑制するので、漏出しようとした熱が上方の空間（掛布団等とマットレスの間に生じた空間）へ戻り、該空間内の温度が低下しにくく保温効果が高い。
【００６０】
〔タオルケット又は肌布団〕
タオルケット又は肌布団は、起毛させた繊維シートにより形成されたタオル地等のカバーと、カバー内に内包される断熱材を備えている。なお、断熱材の構造については、第１実施形態と同様であるため、その説明を省略する。
カバーは、綿布を袋状に形成しているか又は綿布を２枚重ねて周縁部を閉じることにより形成されている。断熱材は、前記したものと同じもの（断熱材２０）を使用している。
前記タオルケット又は肌布団は、厚み方向に縦断した場合、上部と下部に位置するカバーの間に断熱材を挟んで内包している。
【００６１】
（作  用）
タオルケット又は肌布団を利用するに際しては、断熱材の熱を反射する側（反射部）が使用者に面するようにして使用する。すると、第１実施形態に係る毛布と同様に、使用者から放射される体温（熱）がカバーの繊維の隙間から外部へ漏れようとするときには、断熱材の反射部が熱を反射して熱の漏出を抑制するので、漏出しようとした熱がタオルケット又は肌布団内部の空間へ戻り、該空間内の温度が低下しにくく保温効果が高い。
【００６２】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００６３】
１    毛布
１ａ    敷毛布
１０    毛布生地
１１    縁部
１２    中綿
２０    断熱材
２１    熱反射部
２２    小孔
２３    熱反射部裏地
３０    織生地
４，４ａ    掛布団
４１    カバー
４１０    カバー表地
４１１    カバー裏地
４１２    縫着部
４１３    縫着部
４１４ａ    縫着部
４１４ｂ    縫着部
４２０    マチ
４３０    羽毛
【図１】
0003168278.tif 000003
【図２】
0003168278.tif 000004
【図３】
0003168278.tif 000005
【図４】
0003168278.tif 000006
【図５】
0003168278.tif 000007